(57)【要約】【課題】通信速度の低下による波形表示に対する影響を低減する。【解決手段】指示信号で指定された指定時間分の測定データＤｍを送信する測定装置２から受信した測定データＤｍを記憶する記憶部（メモリ１２ａ，１２ｂ）と、指示信号を測定装置２に送信する指示処理を実行すると共に測定データＤｍを記憶部から表示部１３に出力させる処理部１５とを備え、処理部１５は、表示指示がされたときから時間ｔａが経過した時点で指定時間を時間ｔａに指定して１回目の指示処理を実行すると共に、２回目以降の指示処理において指定時間を時間ｔｂに指定して直前の指示処理の実行によって送信された測定データＤｍを受信した時点から時間ｔｃが経過した時点で２回目以降の指示処理を実行し、１回目の指示処理の実行によって送信された測定データＤｍを受信した後に時間ｔｄ分の測定データＤｍを時間ｔｄ間隔で記憶部から表示部１３に出力して波形を表示させる。【選択図】図４
2014102199.tif 000002
【特許請求の範囲】
【請求項１】
指示信号に従って当該指示信号において指定された指定時間分の測定データを送信する測定装置から受信した当該測定データに基づく波形を表示部に表示可能に構成された波形表示装置であって、
前記受信した測定データを記憶する記憶部と、前記指示信号を前記測定装置に送信する指示処理を実行すると共に前記記憶部に記憶されている前記測定データを前記表示部に出力して前記波形を表示させる出力処理を実行する処理部とを備え、
前記処理部は、前記波形を表示する表示指示がされたときから予め決められた第１時間が経過した時点で前記指定時間を当該第１時間に指定して１回目の前記指示処理を実行すると共に、２回目以降の前記指示処理において前記指定時間を前記第１時間よりも短い第２時間に指定して直前の前記指示処理の実行によって送信された前記測定データを受信した時点から当該第２時間よりも短い第３時間が経過した時点で当該２回目以降の指示処理を実行し、前記１回目の指示処理の実行によって送信された前記測定データを受信した後に前記記憶部に記憶されている前記測定データのうちの前記第３時間よりも短い第４時間分の測定データを当該第４時間間隔で前記表示部に出力する処理を前記出力処理として実行する波形表示装置。
【請求項２】
前記処理部は、前記２回目以降の指示処理を実行するときに、前記記憶部に記憶されている前記測定データのうちの前記表示部に対して未出力の当該測定データのデータ量が少ないときほど当該２回目以降の指示処理において前記第２時間を長い時間に指定する請求項１記載の波形表示装置。
【請求項３】
前記記憶部は、複数の前記測定装置からそれぞれ送信される測定データを当該測定装置毎に区分けして記憶可能に構成され、
前記処理部は、前記複数の測定装置から受信した前記測定データを当該測定装置毎に区分けして前記記憶部に記憶させる請求項１または２記載の波形表示装置。
【請求項４】
前記記憶部は、前記受信した測定データを記憶する第１メモリと、当該第１メモリから転送される前記測定データを一時的に記憶して前記表示部に出力する第２メモリとを備えて構成され、
前記処理部は、前記第４時間分の測定データを当該第４時間間隔で前記第１メモリから前記第２メモリに転送させると共に、前記第２メモリに転送させた前記測定データを前記第４時間間隔で前記表示部に出力させる処理を前記出力処理として実行する請求項１から３のいずれかに記載の波形表示装置。
【請求項５】
請求項１から４のいずれかに記載の波形表示装置と、当該波形表示装置から送信された前記指示信号を通信回線を介して入力して当該指示信号において指定された前記指定時間分の前記測定データを当該通信回線を介して送信する測定装置とを備えている測定システム。
【請求項６】
指示信号に従って当該指示信号において指定された指定時間分の測定データを送信する測定装置から受信した当該測定データに基づく波形を表示部に表示させる波形表示方法であって、
前記波形を表示する表示指示がされたときから予め決められた第１時間が経過した時点で前記指定時間を当該第１時間に指定して前記指示信号を前記測定装置に送信する１回目の指示処理を実行し、２回目以降の前記指示処理において前記指定時間を前記第１時間よりも短い第２時間に指定して直前の前記指示処理の実行によって送信された前記測定データを受信した時点から当該第２時間よりも短い第３時間が経過した時点で当該２回目以降の指示処理を実行し、前記各指示処理の実行によって送信された前記測定データを受信して記憶部に記憶させ、前記１回目の指示処理の実行によって送信された前記測定データを受信した後に前記記憶部に記憶されている前記測定データのうちの前記第３時間よりも短い第４時間分の測定データを当該第４時間間隔で前記表示部に出力する出力処理を実行して前記波形を前記表示部に表示させる波形表示方法。
【発明の詳細な説明】
【技術分野】
【０００１】
本発明は、測定装置から受信した測定データに基づく波形を表示部に表示する波形表示装置、その波形表示装置を備えた測定システム、および測定装置から受信した測定データに基づく波形を表示部に表示する波形表示方法に関するものである。
【背景技術】
【０００２】
通信回線を介して接続されて複数の測定装置が測定データを出力（送信）するシステムとして、特開２００８−３８７１号公報において出願人が開示した計測システムが知られている。この計測システムは、複数の計測モジュール、通信モジュールおよび電源モジュールを備え、これらがモジュールバスを介して接続されて構成されている。この計測システムでは、各計測モジュールが計測対象の物理量をそれぞれ計測してその計測データを通信モジュールに出力し、通信モジュールが公衆回線網などを介して外部機器に計測データを送信する。
【０００３】
一方、出願人は、遠隔地にある計測対象の物理量の波形を表示する表示システムに上記の計測システムを利用している。この表示システムでは、上記の計測システムと波形表示装置とを公衆回線網を介して接続し、計測システム（各計測モジュール）から出力される計測データを入力して波形を表示させる、この場合、この表示システムにおける波形表示装置は、予め決められた一定量の計測データを送信する旨の指示を予め決められた一定の時間間隔で計測システムに対して送信し、これに従って計測システムから送信される計測データをその時間間隔で表示部に出力して波形をスクロール表示させる処理や、送信される計測データを予め決められた規定時間分バッファに記憶させてその分の波形を一度に表示さる処理などを実行する。
【先行技術文献】
【特許文献】
【０００４】
【特許文献１】特開２００８−３８７１号公報（第４−７頁、第１図）
【発明の概要】
【発明が解決しようとする課題】
【０００５】
ところが、上記の計測システムを用いる従来の波形表示装置には、改善すべき以下の課題がある。すなわち、従来の波形表示装置では、一定量の計測データを送信する旨の指示を一定の時間間隔で計測システムに対して送信する。しかしながら、このような指示を送信したとしても、回線の通信速度が低下したときには計測データの送信が滞ることがあり、このようなときには、波形のスムーズなスクロール表示が困難となったり、表示指示をしてから波形が表示されるまでに時間がかかったりするおそれがある。このように、従来の波形表示装置には、通信速度の低下によって波形表示が影響を受けることがあり、この点の改善が望まれている。
【０００６】
本発明は、かかる課題に鑑みてなされたものであり、通信速度の低下による波形表示に対する影響を低減し得る波形表示装置を提供することを主目的とする。
【課題を解決するための手段】
【０００７】
上記目的を達成すべく請求項１記載の波形表示装置は、指示信号に従って当該指示信号において指定された指定時間分の測定データを送信する測定装置から受信した当該測定データに基づく波形を表示部に表示可能に構成された波形表示装置であって、前記受信した測定データを記憶する記憶部と、前記指示信号を前記測定装置に送信する指示処理を実行すると共に前記記憶部に記憶されている前記測定データを前記表示部に出力して前記波形を表示させる出力処理を実行する処理部とを備え、前記処理部は、前記波形を表示する表示指示がされたときから予め決められた第１時間が経過した時点で前記指定時間を当該第１時間に指定して１回目の前記指示処理を実行すると共に、２回目以降の前記指示処理において前記指定時間を前記第１時間よりも短い第２時間に指定して直前の前記指示処理の実行によって送信された前記測定データを受信した時点から当該第２時間よりも短い第３時間が経過した時点で当該２回目以降の指示処理を実行し、前記１回目の指示処理の実行によって送信された前記測定データを受信した後に前記記憶部に記憶されている前記測定データのうちの前記第３時間よりも短い第４時間分の測定データを当該第４時間間隔で前記表示部に出力する処理を前記出力処理として実行する。
【０００８】
また、請求項２記載の波形表示装置は、請求項１記載の波形表示装置において、前記処理部は、前記２回目以降の指示処理を実行するときに、前記記憶部に記憶されている前記測定データのうちの前記表示部に対して未出力の当該測定データのデータ量が少ないときほど当該２回目以降の指示処理において前記第２時間を長い時間に指定する。
【０００９】
また、請求項３記載の波形表示装置は、請求項１または２記載の波形表示装置において、前記記憶部は、複数の前記測定装置からそれぞれ送信される測定データを当該測定装置毎に区分けして記憶可能に構成され、前記処理部は、前記複数の測定装置から受信した前記測定データを当該測定装置毎に区分けして前記記憶部に記憶させる。
【００１０】
また、請求項４記載の波形表示装置は、請求項１から３のいずれかに記載の波形表示装置において、前記記憶部は、前記受信した測定データを記憶する第１メモリと、当該第１メモリから転送される前記測定データを一時的に記憶して前記表示部に出力する第２メモリとを備えて構成され、前記処理部は、前記第４時間分の測定データを当該第４時間間隔で前記第１メモリから前記第２メモリに転送させると共に、前記第２メモリに転送させた前記測定データを前記第４時間間隔で前記表示部に出力させる処理を前記出力処理として実行する。
【００１１】
また、請求項５記載の測定システムは、請求項１から４のいずれかに記載の波形表示装置と、当該波形表示装置から送信された前記指示信号を通信回線を介して入力して当該指示信号において指定された前記指定時間分の前記測定データを当該通信回線を介して送信する測定装置とを備えている。
【００１２】
また、請求項６記載の波形表示方法は、指示信号に従って当該指示信号において指定された指定時間分の測定データを送信する測定装置から受信した当該測定データに基づく波形を表示部に表示させる波形表示方法であって、前記波形を表示する表示指示がされたときから予め決められた第１時間が経過した時点で前記指定時間を当該第１時間に指定して前記指示信号を前記測定装置に送信する１回目の指示処理を実行し、２回目以降の前記指示処理において前記指定時間を前記第１時間よりも短い第２時間に指定して直前の前記指示処理の実行によって送信された前記測定データを受信した時点から当該第２時間よりも短い第３時間が経過した時点で当該２回目以降の指示処理を実行し、前記各指示処理の実行によって送信された前記測定データを受信して記憶部に記憶させ、前記１回目の指示処理の実行によって送信された前記測定データを受信した後に前記記憶部に記憶されている前記測定データのうちの前記第３時間よりも短い第４時間分の測定データを当該第４時間間隔で前記表示部に出力する出力処理を実行して前記波形を前記表示部に表示させる。
【発明の効果】
【００１３】
請求項１記載の波形表示装置、請求項５記載の測定システム、および請求項６記載の波形表示方法では、波形の表示指示がされたときから第１時間を経過した時点で、第１時間分の測定データの送信を指示する１回目の指示処理を実行し、１回目の指示処理の実行によって送信された測定データを受信した後に出力処理を実行する。つまり、この波形表示装置、測定システムおよび波形表示方法では、出力処理の開始時点において、ある程度のデータ量の測定データを記憶部に記憶（蓄積）させることができる。このため、この波形表示装置、測定システムおよび波形表示方法によれば、通信速度が一時的に低下したとしても、この測定データの蓄積分がバッファとして機能して、通信速度の一時的な低下を吸収することができる。したがって、この波形表示装置、測定システムおよび波形表示方法によれば、記憶部に記憶されている未出力の測定データが不足して、表示部に対する測定データの出力が滞る事態を確実に防止することができる結果、通信速度の低下による波形表示に対する影響を十分に低減することができる。
【００１４】
また、請求項２記載の波形表示装置、および請求項５記載の測定システムでは、２回目以降の指示処理を実行するときに、記憶部に記憶されている未出力の測定データのデータ量が少ないほど第２時間を長い時間に指定する。このため、この波形表示装置、測定システムおよび波形表示方法によれば、記憶部に記憶されている未出力の測定データのデータ量が少ないときほど、一度に多くのデータ量の測定データを受信することができるため、通信速度が低下した状態が継続したとしても、記憶部に記憶されている未出力の測定データが不足して、表示部に対する測定データの出力が滞る事態を確実に防止することができる。
【００１５】
また、請求項３記載の波形表示装置、および請求項５記載の測定システムによれば、複数の測定装置からそれぞれ送信される測定データを測定装置毎に区分けして記憶可能に記憶部を構成したことにより、複数の測定装置と波形表示装置との間における各処理（指示処理、測定データを記憶部に記憶させる処理、出力処理、および測定装置が測定データを送信する処理など）を測定装置毎に個別に行うことができる。このため、この波形表示装置および測定システムによれば、例えば、複数の測定装置のうちの一部の測定装置と波形表示装置との間の通信速度だけが低下したとしても、他の測定装置と波形表示装置との間では、各処理がスムーズに行われるため、通信速度の低下による全体としての影響を十分少なく抑えることができる。
【００１６】
また、請求項４記載の波形表示装置、および請求項５記載の測定システムでは、受信した測定データを第１メモリに記憶させ、第４時間分の測定データを第４時間間隔で第１メモリから第２メモリに転送させ、第２メモリに転送させた測定データを第４時間間隔で表示部に出力させる。このように構成することにより、第２メモリを記憶部と表示部との間のバッファとして機能させることができる。このため、例えば、記憶部から表示部への測定データの出力が一時的に停滞するような状態となったときに、表示部に対して出力されていない測定データを記憶（貯留）させておくことで、他の処理に対する影響を防止することができる。
【図面の簡単な説明】
【００１７】
【図１】測定システム１００の構成を示す構成図である。
【図２】波形表示装置１の構成を示す構成図である。
【図３】測定装置２の構成を示す構成図である。
【図４】測定システム１００において実行される各処理を説明する説明図である。
【発明を実施するための形態】
【００１８】
以下、波形表示装置、測定システムおよび波形表示方法の実施の形態について、添付図面を参照して説明する。
【００１９】
最初に、測定システム１００の構成について説明する。図１に示す測定システム１００は、測定システムの一例であって、波形表示装置１および複数（一例として３つ）の測定装置２を備えて構成されている。
【００２０】
波形表示装置１は、波形表示装置の一例であって、図２に示すように、送受信部１１、記憶部１２、表示部１３、操作部１４および処理部１５を備えて構成されている。
【００２１】
送受信部１１は、処理部１５の制御に従い、図１に示す通信回線３０（一例として、無線通信回線）を介して、測定装置２の後述する送受信部２１との間で、指示信号Ｓｉの送信、および測定装置２から送信される測定データＤｍの受信を無線通信で行う。
【００２２】
記憶部１２は、図２に示すように、メモリ１２ａ（第１メモリ）およびメモリ１２ｂ（第２メモリ）を備えて構成されている。メモリ１２ａは、処理部１５の制御に従い、送受信部１１によって受信された（測定装置２から送信された）測定データＤｍを記憶する。この場合、メモリ１２ａには、３つの測定装置２にそれぞれ対応する３つ（測定装置２の数と同数）の記憶領域が設けられており、各測定装置２から送信された測定データＤｍは、対応する記憶領域に個別に記憶される。また、メモリ１２ａは、処理部１５の制御に従い、記憶している測定データＤｍをメモリ１２ｂに転送する。
【００２３】
メモリ１２ｂは、一例としてリングバッファであって、処理部１５の制御に従い、メモリ１２ａから転送された測定データＤｍを一時的に記憶すると共に、その測定データＤｍを表示部１３に出力する。この場合、メモリ１２ｂには、各測定装置２にそれぞれ対応する３つ（測定装置２の数と同数）の記憶領域が設けられており、各測定装置２から送信された測定データＤｍが、対応する記憶領域に個別に記憶される。このように、この波形表示装置１では、複数の測定装置２からそれぞれ送信される測定データＤｍを測定装置２毎に区分けして記憶可能に記憶部１２が構成されている。
【００２４】
表示部１３は、一例として、ＶＲＡＭおよびＬＣＤ（いずれも図示せず）を備えて構成され、記憶部１２から出力される測定データＤｍに基づく波形を表示する。
【００２５】
操作部１４は、波形の表示を指示するボタン（表示ボタン）や、後述する時間ｔａ（第１時間）、時間ｔｂ（第２時間）、時間ｔｃ（第３時間）および時間ｔｄ（第４時間）を設定するための設定キー（いずれも図示せず）などを備えて構成され、これらが操作されたときに操作信号を出力する。
【００２６】
処理部１５は、操作部１４から出力される操作信号に従って各種の処理を実行する。具体的には、処理部１５は、送受信部１１を制御して、測定装置２に対して測定データＤｍの送信を指示する指示信号Ｓｉを送信させる指示処理を実行する。また、処理部１５は、送受信部１１を制御して、測定装置２から送信される測定データＤｍを受信させる処理を実行する。
【００２７】
また、処理部１５は、送受信部１１によって受信された測定データＤｍを記憶部１２のメモリ１２ａに記憶させる記憶処理、およびメモリ１２ａに記憶されている測定データＤｍを表示部１３に出力する出力処理を実行する。この場合、処理部１５は、メモリ１２ａに記憶されている測定データＤｍをメモリ１２ａからメモリ１２ｂに転送させてメモリ１２ｂに一時的に記憶させると共に、メモリ１２ｂに転送させた（一時的に記憶させた）測定データＤｍを表示部１３に出力させる処理を出力処理として実行する。また、処理部１５は、複数の測定装置２から測定データＤｍが送信されるときには、各測定データＤｍをメモリ１２ａにおける測定装置２に対応する記憶領域に個別に記憶させ、その測定データＤｍをメモリ１２ｂにおける測定装置２に対応する記憶領域に転送させる。このように、この波形表示装置１では、処理部１５が、複数の測定装置２からそれぞれ送信される測定データＤｍを測定装置２毎に区分けして記憶部１２に記憶させる。
【００２８】
測定装置２は、図３に示すように、送受信部２１、測定部２２、記憶部２３および処理部２４を備えて構成されている。送受信部２１は、処理部２４の制御に従い、図１に示す通信回線３０を介して、波形表示装置１の送受信部１１との間で、指示信号Ｓｉの受信、および測定データＤｍの送信を無線通信で行う。
【００２９】
測定部２２は、測定対象の物理量（電流値、電圧値、抵抗値、電力値および位相などの電気的パラメータや、温度、湿度、輝度（光度）、照度、雨量および流量などの各種パラメータであって、この例では、電線に流れる電流）を測定して、測定データＤｍを出力する測定処理を実行する。記憶部２３は、処理部２４の制御に従い、測定部２２から出力された測定データＤｍを記憶する。
【００３０】
処理部２４は、測定部２２を制御して測定処理を実行させる。また、処理部２４は、測定部２２から出力された測定データＤｍを記憶部２３に記憶させる。さらに、処理部２４は、送受信部２１によって受信された指示信号Ｓｉに従い、指示信号Ｓｉにおいて指定された指定時間ｔｓ分の測定データＤｍを記憶部２３から読み出して、その測定データＤｍを送受信部２１から波形表示装置１に送信させる送信処理を実行する。
【００３１】
次に、測定システム１００の動作および波形表示装置１による波形表示方法について、図面を参照して説明する。なお、通信回線３０が平均的な通信速度を維持している状態では、波形表示装置１から指示信号Ｓｉを送信したときを起点として、測定装置２から送信された８００ｍｓ〜１０００ｍｓ分の測定データＤｍを波形表示装置１が受信するまでの時間（以下「通信時間」ともいう）が、平均で３００ｍｓ程度であるものとする。
【００３２】
この測定システム１００では、測定装置２が測定対象の物理量の測定を行う。具体的には、測定装置２の測定部２２が、処理部２４の制御に従って測定処理を実行し、例えば、測定対象としての電線に流れる電流をサンプリングして測定データＤｍを出力する。また、処理部２４が、測定部２２から出力された測定データＤｍを記憶部２３に記憶させる。
【００３３】
一方、波形表示装置１に測定データＤｍに基づく波形を表示させる際には、波形の表示を指示するのに先立ち、操作部１４を操作して、時間ｔａ、時間ｔｂ、時間ｔｃおよび時間ｔｄを設定する。この場合、時間ｔａは、波形を表示する表示指示がされたとき（操作部１４の表示ボタンが操作されたとき）から１回目の指示処理を実行するまでの時間（待機時間）に相当する。一例として、この時間ｔａを１０００ｍｓ（１秒）に設定する。また、時間ｔｂは、２回目以降の指示処理において指定時間ｔｓとして指定する時間であって、この例では、時間ｔａよりも短い８００ｍｓ（０．８秒）をこの時間ｔｂの初期値として設定するものとする。この場合、８００ｍｓは、後述する時間ｔｃとして設定する５００ｍｓと平均的な通信時間である３００ｍｓとの和に相当する。
【００３４】
また、時間ｔｃは、２回目以降の指示処理を実行するタイミングを規定する時間であって、この例では、この時間ｔｃを時間ｔｂよりも短い５００ｍｓ（０．５秒）に設定するものとする。この場合、直前の指示処理の実行によって測定装置２から送信された測定データＤｍを波形表示装置１が受信した時点からこの時間ｔｃが経過した時点で、２回目以降の指示処理が処理部１５によって実行される。また、時間ｔｄは、記憶部１２に記憶されている測定データＤｍの中から１回の出力処理において表示部１３に出力する測定データＤｍのデータ量（時間長）に対応する時間、および表示部１３に対して測定データＤｍを出力する時間間隔（つまり、出力処理を実行する時間間隔）に相当し、この例では、この時間ｔｄを時間ｔｃよりも短い１００ｍｓ（０．１秒）に設定するものとする。つまり、この波形表示装置１では、各時間ｔａ，ｔｂ，ｔｃ，ｔｄの長短が、時間ｔａ＞時間ｔｂ＞時間ｔｃ＞時間ｔｄの関係となるように設定されている。
【００３５】
次いで、操作部１４の表示ボタンを操作して、波形の表示を指示する。この際に、操作部１４が操作信号を出力し、処理部１５が操作信号に応じて処理を開始する。具体的には、処理部１５は、図４に示すように、波形表示が指示された時点から上記した時間ｔａ（この例では、１０００ｍｓ）が経過するまで待機し、時間ｔａが経過した時点で１回目の指示処理を実行する（図４参照）。この１回目の指示処理では、処理部１５は、測定装置２に対して測定データＤｍを送信させる送信処理（１回目の送信処理）の実行を指示する指示信号Ｓｉを生成する。また、処理部１５は、１回目の送信処理において送信させる測定データＤｍのデータ量に相当する指定時間ｔｓを、この指示信号Ｓｉに含める。この場合、処理部１５は、この１回目の送信処理において１０００ｍｓ（時間ｔａと同じ時間）を指定時間ｔｓとして指定する。
【００３６】
続いて、処理部１５は、送受信部１１を制御して、生成した指示信号Ｓｉを送信させる。この際に、測定装置２の送受信部２１が、波形表示装置１の送受信部１１から送信された指示信号Ｓｉを通信回線３０を介して受信する。次いで、測定装置２の処理部２４が、受信した指示信号Ｓｉに従って送信処理をそれぞれ実行する。この送信処理では、処理部２４は、指示信号Ｓｉにおいて指定されている指定時間ｔｓ分（この例では、１０００ｍｓ分）の測定データＤｍを記憶部２３から読み出して、その測定データＤｍを送受信部２１から波形表示装置１に送信させる。
【００３７】
続いて、波形表示装置１の送受信部１１が測定装置２の送受信部２１から送信された測定データＤｍを受信し、次いで、処理部１５が、その測定データＤｍをメモリ１２ａに記憶させる記憶処理を実行する（図４参照）。この場合、複数の測定装置２から測定データＤｍが送信されたときには、処理部１５は、各測定装置２に対応付けられたメモリ１２ａ内の記憶領域に測定データＤｍをそれぞれ記憶させる。なお、同図に示すように、１回目の通信時間が３００ｍｓであったものとする。
【００３８】
続いて、処理部１５は、出力処理を実行する。この出力処理では、処理部１５は、図４に示すように、メモリ１２ａに記憶されている測定データＤｍのうちの時間ｔｄ分（この例では、１００ｍｓ分）の測定データＤｍを時間ｔｄ間隔（１００ｍｓ間隔）でメモリ１２ａからメモリ１２ｂに転送させてメモリ１２ｂに一時的に記憶させる。また、処理部１５は、メモリ１２ｂに転送させた測定データＤｍを時間ｔｄ間隔（１００ｍｓ間隔）で表示部１３に出力させる。この場合、複数の測定装置２から送信された測定データＤｍがメモリ１２ａに記憶されているときには、処理部１５は、各測定装置２に対応付けられたメモリ１２ｂ内の記憶領域に測定データＤｍをそれぞれ一時的に記憶させて、表示部１３に出力させる。以後、処理部１５は、波形の表示を停止（終了）する指示がされるまで、この出力処理を継続して実行する。
【００３９】
一方、表示部１３は、メモリ１２ｂから１００ｍｓ間隔で出力される１００ｍｓ分の測定データＤｍに基づく１００ｍｓ分の波形を表示させる処理を、繰り返して実行する。これにより、表示部１３によって波形がスクロール表示される。この場合、この波形表示装置１および測定システム１００では、上記したように、波形の表示指示がされたときから時間ｔａを経過した時点で、時間ｔａ分の測定データＤｍの送信を指示する１回目の指示処理を実行し、１回目の指示処理の実行によって送信された測定データＤｍを受信した後に出力処理を実行する。つまり、この波形表示装置１および測定システム１００では、出力処理の開始時点において、ある程度のデータ量の測定データＤｍがメモリ１２ａに記憶（蓄積）されている。このため、この波形表示装置１および測定システム１００では、通信速度が一時的に低下したとしても、この測定データＤｍの蓄積分がバッファとして機能して、通信速度の一時的な低下を吸収することが可能となっている。したがって、この波形表示装置１および測定システム１００では、メモリ１２ａに記憶されている測定データＤｍのうちの表示部１３に対して出力していない（メモリ１２ｂに転送していない）未出力の測定データＤｍが不足して、メモリ１２ｂおよび表示部１３に対する測定データＤｍの転送および出力が滞る事態を確実に防止することができる結果、表示部１３による波形のスムーズなスクロール表示が継続される。
【００４０】
次いで、処理部１５は、図４に示すように、１回目の指示処理（直前の指示処理）の実行によって（つまり、１回目の送信処理によって）送信された測定データＤｍを受信した時点から上記した時間ｔｃ（この例では、５００ｍｓ）が経過した時点で２回目の指示処理を実行する。２回目の指示処理では、処理部１５は、メモリ１２ａに記憶されている測定データＤｍのうちの未出力の測定データＤｍのデータ量を特定する。
【００４１】
図４に示すように、この時点では、６００ｍｓ分の未出力の測定データＤｍがメモリ１２ａに記憶（蓄積）されている。このため、２回目の通信時間が３００ｍｓ程度（平均的な通信時間）であると仮定すると、２回目の送信処理において測定装置２から送信される測定データＤｍの波形表示装置１による受信開始直前の時点で、３００ｍｓの測定データＤｍがメモリ１２ａに記憶されていることとなり、メモリ１２ｂおよび表示部１３に対する測定データＤｍの転送および出力が滞ることなく継続される。このような状態では、処理部１５は、初期値として設定した時間ｔｂ（この例では、８００ｍｓ）を指定時間ｔｓとして指定して、その指定時間ｔｓを含めた指示信号Ｓｉを出力させる。
【００４２】
続いて、測定装置２の処理部２４が、２回目の送信処理を実行して、図４に示すように、指示信号Ｓｉにおいて指定されている指定時間ｔｓ分（この例では、８００ｍｓ分）の測定データＤｍを記憶部２３から読み出して、送受信部２１から波形表示装置１に送信させる。次いで、波形表示装置１の送受信部１１が測定データＤｍを受信し、続いて、処理部１５が、記憶処理を実行して、測定データＤｍをメモリ１２ａに記憶させる。この場合、２回目の通信時間が３００ｍｓであったものとする。
【００４３】
続いて、処理部１５は、図４に示すように、直前（２回目）の指示処理の実行によって送信された測定データＤｍを受信した時点から時間ｔｃ（５００ｍｓ）が経過した時点で３回目の指示処理を実行する。
【００４４】
この場合、図４に示すように、この時点では、６００ｍｓ分の未出力の測定データＤｍがメモリ１２ａに記憶されている。このため、３回目の通信時間が３００ｍｓ程度と仮定すると、３回目の送信処理において測定装置２から送信される測定データＤｍの波形表示装置１による受信開始直前の時点で、３００ｍｓの測定データＤｍがメモリ１２ａに記憶されていることとなる。このため、処理部１５は、上記した２回目の指示処理と同様にして、８００ｍｓを指定時間ｔｓとして指定して、その指定時間ｔｓを含めた指示信号Ｓｉを出力させる。
【００４５】
次いで、各測定装置２の処理部２４が、３回目の送信処理を実行して、図４に示すように、８００ｍｓ分の測定データＤｍを波形表示装置１に送信させる。続いて、波形表示装置１の処理部１５が、記憶処理を実行して、送受信部１１によって受信された測定データＤｍをメモリ１２ａに記憶させる。この場合、通信回線３０が輻輳状態であったことなどに起因して通信速度が低下し、３回目の通信時間が３００ｍｓ（平均的な通信時間）よりも長い４００ｍｓであったものとする。
【００４６】
続いて、処理部１５は、図４に示すように、直前（３回目）の指示処理の実行によって送信された測定データＤｍを受信した時点から時間ｔｃ（５００ｍｓ）が経過した時点で４回目の指示処理を実行する。
【００４７】
ここで、図４に示すように、この時点では、５００ｍｓ分の未出力の測定データＤｍがメモリ１２ａに記憶されている。つまり、この時点で、２回目および３回目の指示処理において特定したときよりも、未出力の測定データＤｍのデータ量が減少している。これは、３回目の通信時間が長かった（通信速度が低下した）ことに起因するものであり、このような通信速度が低下した状態が継続すると、次の送信処理によって送信される測定データＤｍを受信する以前にメモリ１２ａに記憶されている未出力の測定データＤｍが不足して、メモリ１２ｂおよび表示部１３に対する測定データＤｍの転送および出力が滞り、これによって表示部１３による波形のスクロール表示が困難となるおそれがある。このような状態では、処理部１５は、初期値として設定した時間ｔｂ（８００ｍｓ）よりも長くかつ時間ｔａ（１０００ｍｓ）よりも短い時間（例えば、９００ｍｓ）を指定時間ｔｓとして指定して、その指定時間ｔｓを含めた指示信号Ｓｉを出力させる。つまり、処理部１５は、２回目以降の指示処理を実行するときに、メモリ１２ａに記憶されている測定データＤｍのうちの未出力の測定データＤｍのデータ量が少ないときほど指定時間ｔｓとしての時間ｔｂを長い時間に指定する。
【００４８】
次いで、各測定装置２の処理部２４が、４回目の送信処理を実行して、図４に示すように、９００ｍｓ分の測定データＤｍを波形表示装置１に送信させる。続いて、波形表示装置１の処理部１５が、記憶処理を実行して、受信された測定データＤｍをメモリ１２ａに記憶させる。この場合、通信速度が低下した状態が継続して、４回目の通信時間が４００ｍｓであったものとする。
【００４９】
続いて、処理部１５は、図４に示すように、直前（４回目）の指示処理の実行によって送信された測定データＤｍを受信した時点から時間ｔｃ（５００ｍｓ）が経過した時点で５回目の指示処理を実行する。この場合、同図に示すように、この時点では、４回目の指示処理において特定したときと同じデータ量である５００ｍｓ分の未出力の測定データＤｍがメモリ１２ａに記憶されている（つまり、２回目および３回目の指示処理において特定したときのデータ量よりも減少した状態が継続している）。このため、処理部１５は、上記した４回目の指示処理と同様にして、９００ｍｓを指定時間ｔｓとして指定して、その指定時間ｔｓを含めた指示信号Ｓｉを出力させる。
【００５０】
次いで、各測定装置２の処理部２４が、５回目の送信処理を実行して、図４に示すように、９００ｍｓ分の測定データＤｍを波形表示装置１に送信させる。続いて、波形表示装置１の処理部１５が、記憶処理を実行して、受信された測定データＤｍをメモリ１２ａに記憶させる。この場合、通信速度が平均的な通信速度に回復して、５回目の通信時間が３００ｍｓであったものとする。
【００５１】
続いて、処理部１５は、図４に示すように、直前（５回目）の指示処理の実行によって送信された測定データＤｍを受信した時点から時間ｔｃ（５００ｍｓ）が経過した時点で６回目の指示処理を実行する。
【００５２】
この場合、図４に示すように、通信速度が回復して通信時間が平均的な通信時間となったことにより、この時点では、２回目および３回目の指示処理において特定したときと同じデータ量である６００ｍｓ分の未出力の測定データＤｍがメモリ１２ａに記憶されている（つまり、５回目の指示処理において特定したときよりもデータ量が増加している）。このため、処理部１５は、２回目および３回目の指示処理と同様にして、４回目および５回目の指示処理において指定時間ｔｓとして指定した９００ｍｓよりも短い８００ｍｓを指定時間ｔｓとして指定して、その指定時間ｔｓを含めた指示信号Ｓｉを出力させる。
つまり、処理部１５は、２回目以降の指示処理を実行するときに、メモリ１２ａに記憶されている測定データＤｍのうちの未出力の測定データＤｍのデータ量が多いときほど指定時間ｔｓとしての時間ｔｂを短い時間に指定する。
【００５３】
次いで、各測定装置２の処理部２４が、６回目の送信処理を実行して、図４に示すように、８００ｍｓ分の測定データＤｍを波形表示装置１に送信させる。続いて、波形表示装置１の処理部１５が、記憶処理を実行して、受信された測定データＤｍをメモリ１２ａに記憶させる。この場合、６回目の通信時間が３００ｍｓであったものとする。
【００５４】
以下、波形の表示を停止（終了）する指示がされるまで、処理部１５が、指示処理（図４に示す７回目以降の指示処理）、記憶処理および出力処理を実行し、測定装置２が送信処理（同図に示す７回目以降の送信処理）を実行する。この場合、処理部１５は、上記したように、メモリ１２ａに記憶されている測定データＤｍのうちの未出力の測定データＤｍのデータ量に応じて、送信処理において指定する指定時間ｔｓを増減させる。具体的には、未出力の測定データＤｍのデータ量が少ないときほど指定時間ｔｓを長い時間に（時間ｔａ未満の範囲内で）指定し、未出力の測定データＤｍのデータ量が多いときほど指定時間ｔｓを短い時間に指定する。この波形表示装置１および測定システム１００では、このような処理を実行することで、一度に多くのデータ量の測定データＤｍを受信することができるため、通信速度が低下した状態が継続したとしても、メモリ１２ａに記憶されている未出力の測定データＤｍが不足して、メモリ１２ｂおよび表示部１３に対する測定データＤｍの転送および出力が滞る事態を確実に防止することが可能となっている。
【００５５】
また、この波形表示装置１および測定システム１００では、複数の測定装置２からそれぞれ送信される測定データＤｍを測定装置２毎に区分けして記憶可能に記憶部１２が構成され、処理部１５が各測定装置２から受信した測定データＤｍを測定装置２毎に区分けして記憶部１２に記憶させる。このため、複数の測定装置２と波形表示装置１との間における各処理（指示処理、記憶処理、出力処理および送信処理）を測定装置２毎に個別に行うことが可能となっている。したがって、この波形表示装置１および測定システム１００では、例えば、複数の測定装置２のうちの一部の測定装置２と波形表示装置１との間の通信速度だけが低下して、その測定装置２と波形表示装置１との間における各処理がスムーズに行われない状態となったとしても、他の測定装置２と波形表示装置１との間では、各処理がスムーズに行われるため、通信速度の低下による全体としての影響を少なく抑えることが可能となっている。
【００５６】
このように、この波形表示装置１、測定システム１００および波形表示方法では、波形の表示指示がされたときから時間ｔａを経過した時点で、時間ｔａ分の測定データＤｍの送信を指示する１回目の指示処理を実行し、１回目の指示処理の実行によって送信された測定データＤｍを受信した後に出力処理を実行する。つまり、この波形表示装置１、測定システム１００および波形表示方法では、出力処理の開始時点である程度のデータ量の測定データＤｍをメモリ１２ａに記憶（蓄積）させることができる。このため、この波形表示装置１、測定システム１００および波形表示方法によれば、通信速度が一時的に低下したとしても、この測定データＤｍの蓄積分がバッファとして機能して、通信速度の一時的な低下を吸収することができる。したがって、この波形表示装置１、測定システム１００および波形表示方法によれば、メモリ１２ａに記憶されている未出力の測定データＤｍが不足して、メモリ１２ｂおよび表示部１３に対する測定データＤｍの転送および出力が滞る事態を確実に防止することができる結果、通信速度の低下による波形表示に対する影響を十分に低減することができる。
【００５７】
また、この波形表示装置１、測定システム１００および波形表示方法では、２回目以降の指示処理を実行するときに、メモリ１２ａに記憶されている測定データＤｍのうちの未出力の測定データＤｍのデータ量が少ないほど指定時間ｔｓ（時間ｔｂ）を長い時間に指定する。このため、この波形表示装置１、測定システム１００および波形表示方法によれば、メモリ１２ａに記憶されている未出力の測定データＤｍのデータ量が少ないときほど、一度に多くのデータ量の測定データＤｍを受信することができるため、通信速度が低下した状態が継続したとしても、メモリ１２ａに記憶されている未出力の測定データＤｍが不足して、メモリ１２ｂおよび表示部１３に対する測定データＤｍの転送および出力が滞る事態を確実に防止することができる。
【００５８】
また、この波形表示装置１、測定システム１００および波形表示方法によれば、複数の測定装置２からそれぞれ送信される測定データＤｍを測定装置２毎に区分けして記憶可能に記憶部１２を構成したことにより、複数の測定装置２と波形表示装置１との間における各処理（指示処理、記憶処理、出力処理および送信処理）を測定装置２毎に個別に行うことができる。このため、この波形表示装置１、測定システム１００および波形表示方法によれば、例えば、複数の測定装置２のうちの一部の測定装置２と波形表示装置１との間の通信速度だけが低下したとしても、他の測定装置２と波形表示装置１との間では、各処理がスムーズに行われるため、通信速度の低下による全体としての影響を十分少なく抑えることができる。
【００５９】
また、この波形表示装置１、測定システム１００および波形表示方法では、受信した測定データＤｍをメモリ１２ａに記憶させ、時間ｔｄ分の測定データＤｍを時間ｔｄ間隔でメモリ１２ａからメモリ１２ｂに転送させ、メモリ１２ｂに転送させた測定データＤｍを時間ｔｄ間隔で表示部１３に出力させる。このように構成することにより、メモリ１２ｂを記憶部１２と表示部１３との間のバッファとして機能させることができる。このため、例えば、記憶部１２から表示部１３への測定データＤｍの出力が一時的に停滞するような状態となったときに、表示部１３に対して出力されていない測定データＤｍを記憶（貯留）させておくことで、他の処理に対する影響を防止することができる。
【００６０】
なお、本発明は、上記の構成および方法に限定されない。例えば、２回目以降の指示処理を実行するときにメモリ１２ａに記憶されている未出力の測定データＤｍのデータ量に応じて指定時間ｔｓ（時間ｔｂ）を増減させる構成および方法について上記したが、直前の指示処理を実行してから測定データＤｍを受信するまでに要した時間（通信時間）に応じて次の送信処理において指定する指定時間ｔｓ（時間ｔｂ）を増減させる構成および方法を採用することもできる。この場合、通信時間が長いときほど、次の指示処理において指定する指定時間ｔｓ（時間ｔｂ）を長く指定し、通信時間が短いときほど、次の指示処理において指定する指定時間ｔｓ（時間ｔｂ）を短く指定することで、上記したように構成および方法と同様の効果を実現することができる。
【００６１】
また、指定時間ｔｓ（時間ｔｂ）を増減させずに、同じ時間に固定する構成および方法を採用することもできる。
【００６２】
また、時間ｔｃが固定されている（時間ｔｃが変更しない）構成および方法について上記したが、時間ｔｃを変更する構成および方法を採用することもできる。具体的には、例えば、直前の指示処理の実行によって測定データＤｍを受信した時点においてメモリ１２ａに記憶されている未出力の測定データＤｍのデータ量が少ないほど、次の指示処理を実行するまでの時間ｔｃを短く変更したり、直前の指示処理を実行してから測定データＤｍを受信するまでに要した時間（通信時間）が長いほど、次の指示処理を実行するまでの時間ｔｃを短く変更したりする構成および方法を採用することができる。
【００６３】
また、波形表示装置１と測定装置２とが通信回線３０を介して指示信号Ｓｉや測定データＤｍの送受信通を無線通信で行う構成および方法について上記したが、有線の通信回線を介して波形表示装置１と測定装置２とが送受信通を有線通信で行う構成および方法を採用することもできる。
【００６４】
また、３台の測定装置２から送信される測定データＤｍに基づく波形を表示する構成および方法について上記したが、測定装置２の数はこれに限定されず、１台、２台または４台以上の任意の数の測定装置２から送信される測定データＤｍに基づく波形を表示することができる。
【００６５】
また、メモリ１２ａおよびメモリ１２ｂ（つまり、２種類の記憶素子）を備えた記憶部１２を用いる構成および方法について上記したが、１つの種類の記憶素子で構成した記憶部１２を用いる構成および方法を採用することもできる。
【符号の説明】
【００６６】
１  波形表示装置
２  測定装置
１１  送受信部
１２  記憶部
１２ａ，１２ｂ  メモリ
１３  表示部
１５  処理部
２１  送受信部
３０  通信回線
１００  測定システム
Ｄｍ  測定データ
Ｓｉ  指示信号
ｔａ〜ｔｄ  時間
ｔｓ  指定時間
【図１】
2014102199.tif 000003
【図２】
2014102199.tif 000004
【図３】
2014102199.tif 000005
【図４】
2014102199.tif 000006